【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
感光体と、
前記感光体を帯電させる帯電手段と、
前記帯電手段により帯電させられた前記感光体を露光して前記感光体上に静電潜像を形成する露光手段と、
前記感光体に電圧を印加する電圧印加部材と、
前記電圧印加部材から前記感光体に電圧を印加した場合において前記感光体に流れる電流の値又は前記電圧印加部材から前記感光体に電流を供給した場合において前記感光体に印加される電圧の値を検知する検知手段と、
前記帯電手段により帯電可能な領域に形成された前記静電潜像を形成しない第１の領域と、前記露光手段により露光可能な領域に形成された前記静電潜像を形成する第２の領域と、のそれぞれに前記電圧印加部材から電圧が印加された場合における前記検知手段の検知結果に基づいて、前記第１の領域における第１の表面電位と前記第２の領域における第２の表面電位との差分に関する情報を取得する取得部と、
前記差分に関する情報に基づいて、画像形成条件を制御する制御手段と、
を有することを特徴とする画像形成装置。
【請求項２】
前記取得部が、前記差分に関する情報を取得する際に前記電圧印加部材により前記感光体に印加される電圧は、画像形成時に前記電圧印加部材により前記感光体に印加される電圧の極性と同極性の電圧のみであることを特徴とする請求項１に記載の画像形成装置。
【請求項３】
前記取得部は、前記制御手段によって前記第１の領域に複数の異なる電圧を印加し前記検知手段の検知結果に基づいて取得した電流値と電圧値との関係と、前記制御手段によって前記第２の領域に複数の異なる電圧を印加し前記検知手段の検知結果に基づいて取得した電流値と電圧値との関係と、に基づいて、前記第１の領域と前記第２の領域とのそれぞれに所定の電流が流れる場合の電圧の差を求め、前記電圧の差に基づいて前記差分に関する情報を取得することを特徴とする請求項１又は２に記載の画像形成装置。
【請求項４】
前記制御手段は、前記差分が目標値に近づくように制御することを特徴とする請求項１〜３のいずれか一項に記載の画像形成装置。
【請求項５】
前記制御手段は、前記画像形成条件として前記露光手段の光量を制御することを特徴とする請求項１〜４のいずれか一項に記載の画像形成装置。
【請求項６】
前記制御手段は、前記第２の領域を形成する際の前記露光手段の光量を制御して取得した前記露光手段の光量と前記差分との関係に基づいて、前記差分が目標値に近づくように前記露光手段の光量を制御することを特徴とする請求項５に記載の画像形成装置。
【請求項７】
前記制御手段は、前記感光体の使用度合いに関する情報に応じた所定のタイミングで制御することを特徴とする請求項１〜６のいずれか一項に記載の画像形成装置。
【請求項８】
前記制御手段は、雰囲気環境の情報に応じた所定のタイミングで制御することを特徴とする請求項１〜７のいずれか一項に記載の画像形成装置。
【請求項９】
前記差分の目標値が異なる複数のモードで画像形成が可能であり、
前記制御手段は、前記複数のモードの間での前記差分の差が所定値に近づくように、前記複数のモードのうち相対的に前記差分の目標値が大きいモードにおける画像形成条件を制御することを特徴とする請求項１〜８のいずれか一項に記載の画像形成装置。
【請求項１０】
前記制御手段は、前記所定値をトナーの帯電量に関する情報に基づいて補正することを特徴とする請求項９に記載の画像形成装置。
【請求項１１】
前記トナーの帯電量に関する情報は、トナーの使用度合いに関する情報に基づくことを特徴とする請求項１０に記載の画像形成装置。
【請求項１２】
前記トナーの帯電量に関する情報は、雰囲気環境の情報に基づくことを特徴とする請求項１０又は１１に記載の画像形成装置。
【請求項１３】
前記電圧印加部材は、前記感光体から被転写体にトナー像を転写させる転写部材であることを特徴とする請求項１〜１２のいずれか一項に記載の画像形成装置。
【請求項１４】
前記感光体と、前記帯電手段と、前記露光手段と、前記電圧印加部材と、を有する複数の画像形成部と、
複数の前記感光体にそれぞれ対応して設けられた前記電圧印加部材に電圧を印加した際に複数の前記感光体に流れる電流の値又は複数の前記感光体にそれぞれ対応して設けられた前記電圧印加部材に電流を供給した際に複数の前記感光体に印加される電圧の値を検知する共通の前記検知手段と、を有し、
前記取得部は、複数の前記感光体のそれぞれにおける前記差分に関する情報を取得し、
前記制御手段は、複数の前記感光体のそれぞれに関する画像形成条件を制御することを特徴とする請求項１〜１３のいずれか一項に記載の画像形成装置。
【請求項１５】
前記取得部は、複数の前記感光体の数をｎ（ｎは２以上の整数）個とした場合に、ｎ個の前記感光体上の前記第１の領域に同時に電圧を印加した際の前記検知手段の検知結果と、前記第２の領域を形成する前記感光体の数を１個からｎ個まで順次変えて、それぞれの前記感光体の表面に前記第１の表面電位もしくは前記第２の表面電位を形成した場合の、複数の前記感光体上の前記第１の領域又は前記第２の領域に同時に電圧を印加した際の前記検知手段のそれぞれの検知結果と、複数の前記感光体のそれぞれの使用度合いに関する情報と、に基づいて、複数の前記感光体のそれぞれにおける前記差分に関する情報を取得することを特徴とする請求項１４に記載の画像形成装置。
【手続補正２】
【補正対象書類名】明細書
【補正対象項目名】０００８
【補正方法】変更
【補正の内容】
【０００８】
上記目的は本発明に係る画像形成装置にて達成される。要約すれば、本発明は、感光体と、前記感光体を帯電させる帯電手段と、前記帯電手段により帯電させられた前記感光体を露光して前記感光体上に静電潜像を形成する露光手段と、前記感光体に電圧を印加する電圧印加部材と、前記電圧印加部材から前記感光体に電圧を印加した場合において前記感光体に流れる電流の値又は前記電圧印加部材から前記感光体に電流を供給した場合において前記感光体に印加される電圧の値を検知する検知手段と、前記帯電手段により帯電可能な領域に形成された前記静電潜像を形成しない第１の領域と、前記露光手段により露光可能な領域に形成された前記静電潜像を形成する第２の領域と、のそれぞれに前記電圧印加部材から電圧が印加された場合における前記検知手段の検知結果に基づいて、前記第１の領域における第１の表面電位と前記第２の領域における第２の表面電位との差分に関する情報を取得する取得部と、前記差分に関する情報に基づいて、画像形成条件を制御する制御手段と、を有することを特徴とする画像形成装置である。
【手続補正３】
【補正対象書類名】明細書
【補正対象項目名】００５３
【補正方法】変更
【補正の内容】
【００５３】
６．効果
上述のように、本実施例では、画像形成装置１００は、感光体を帯電させて感光体上に非露光部を形成する帯電手段としての帯電ローラ２を有する。また、画像形成装置１００は、帯電手段により帯電させられた感光体を露光して感光体上に露光部を形成する露光手段としての露光装置３を有する。また、画像形成装置１００は、感光体に電圧を印加する電圧印加部材としての１次転写ローラ５と、電圧印加部材に電圧又は電流を供給する電源としての１次転写電源２３と、を有する。また、画像形成装置１００は、電源により電圧印加部材に電圧を供給した際に感光体に流れる電流の値又は電源により電圧印加部材に電流を供給した際に感光体に印加される電圧の値を検知する検知手段としての電流検知回路７１を有する。そして、画像形成装置１００は、次のような制御を行う取得部、制御手段としての制御部５０を有する。つまり、制御部（取得部）５０は、１次転写ローラ５により感光ドラム１上の非露光部と露光部とのそれぞれに電圧を印加した際の電流検知回路７１の検知結果に基づいて、非露光部の電位と露光部の電位との差分に関する情報を取得する。このとき、非露光部は、感光ドラム１の表面の移動方向と略直交する方向における帯電ローラ２が帯電させることが可能な領域の略全域にわたり形成される。また、露光部は、感光ドラム１の表面の移動方向と略直交する方向における露光装置３が露光することが可能な領域の略全域にわたり形成される。そして、制御部（制御手段）５０は、上記差分に関する情報に基づいて画像形成条件を調整する。